(57)【要約】【課題】温度変化によって着信報知を可変とした環境感応式報知制御装置を提供する。【解決手段】外部温度センサ１２が周囲の温度を検出しモニタリングし、外部温度設定記憶部１４が所定の基準温度に対する周囲の温度の変化温度時に対応する動作手順を記憶する。着信報知制御部１３が、外部温度センサ１２より得られる外部温度の変化状況をチェックし、基準温度時から最大変化温度時への温度変化設定操作に合わせ、設定された値により演算し、着信報知鳴動時に適切な動作手順の制御信号を通知する。この通知された制御信号に基づく着信報知を着信報知鳴動部１５が行う。本構成により、周囲の温度変化に合わせた着信動作を可能にし、温度変化によって音量、着信パターン及び明滅パターン等の着信報知の作動を可変とする。【選択図】　　　　図１
2004147123.tif 000002
【特許請求の範囲】
【請求項１】
周囲の温度を検出する外部温度センサと、
周囲の温度変化に応じて報知動作する着信報知鳴動時の制御信号を記憶する着信報知動作記憶部と、
前記外部温度センサにより検出した周囲の温度から得られる温度変化に応じた着信報知鳴動時の制御信号に設定する着信報知制御部と、
前記着信報知制御部により設定された前記制御信号に基づく着信報知を行う着信報知鳴動部とを有して構成され、
前記周囲の温度変化に合わせた着信動作を行うことを特徴とする環境感応式報知制御装置。
【請求項２】
前記温度変化に合わせた着信動作とは、
着信報知音の音量、着信パターン及び明滅パターンを含む動作であることを特徴とする請求項１記載の環境感応式報知制御装置。
【請求項３】
前記着信報知動作記憶部は、
基準温度時と最大変化温度時との着信音量、着信パターン及び明滅パターンに対応する着信パターン制御信号、着信音量制御信号及び明滅パターン制御信号で構成される制御信号を設定するための記憶部であることを特徴とする請求項１または２記載の環境感応式報知制御装置。
【請求項４】
前記外部温度センサは、
検出した周囲の温度を電気信号に変換してモニタリングするセンサであることを特徴とする請求項１から３のいずれか１項に記載の環境感応式報知制御装置。
【請求項５】
前記着信報知制御部は、
前記外部温度センサより得た電気信号をデジタル値に変換し、基準温度時から最大変化温度時への温度変化設定操作に合わせて変換した信号を用いて前記温度変化に応じた着信報知鳴動時の制御信号に設定することを特徴とする請求項１から４のいずれか１項に記載の環境感応式報知制御装置。
【請求項６】
前記着信報知制御部は、
前記外部温度センサから得られる外部温度の変化温度が所定の閾値を越えているか否かを判定し、該判定に応じた着信報知鳴動時の制御信号を前記着信報知鳴動部へ通知し、該通知された制御信号に基づく着信報知を行うことを特徴とする請求項１から５のいずれか１項に記載の環境感応式報知制御装置。
【請求項７】
周囲の温度を検出する温度検出手段と、
前記温度検出手段により検出される温度変化を管理する温度管理手段と、
前記温度管理手段により管理する温度変化に応じた報知動作を行う報知動作手段と、
を有することを特徴とする環境感応式報知制御装置。
【請求項８】
前記温度管理手段は、
前記温度検出手段により検出される第１の周囲の温度を保存する保存手段を有し、
前記温度検出手段により検出される第２の周囲の温度と、前記保存手段に保存した第１の周囲の温度と、の温度変化（温度差）を管理することを特徴とする請求項７記載の環境感応式報知制御装置。
【請求項９】
前記報知動作手段は、
温度変化（温度差）に応じた報知動作を決定するための所定の閾値を設定する設定手段と、
前記温度管理手段により管理する温度変化（温度差）が、前記設定手段に設定された所定の閾値を越えているか否かを判定する判定手段と、
を有し、
前記判定手段の判定結果に応じた報知動作を行うことで、温度変化に応じた報知動作を行うことを特徴とする請求項７または８記載の環境感応式報知制御装置。
【請求項１０】
機器に具備する報知動作を、外部の環境に応じて制御する環境感応式報知制御方法であって、
周囲の温度を検出する温度検出工程と、
前記温度検出工程により検出される温度変化を管理する温度管理工程と、
前記温度管理工程により管理する温度変化に応じた報知動作を行う報知動作工程と、
を有することを特徴とする環境感応式報知制御方法。
【請求項１１】
前記温度管理工程は、
前記温度検出工程により検出される第１の周囲の温度を保存する保存工程と、
前記保存工程の後に第２の周囲の温度を検出する第２の温度検出工程と、
を有し、前記第２の温度検出工程により検出する第２の周囲の温度と、前記保存工程により保存した第１の周囲の温度と、の温度変化（温度差）を管理することを特徴とする請求項１０記載の環境感応式報知制御方法。
【請求項１２】
前記報知動作工程は、
前記温度管理工程により管理する温度変化（温度差）が、予め設定された所定の閾値を越えているか否かを判定する判定工程を有し、
前記判定工程の判定結果に応じた報知動作を行うことで、温度変化に応じた報知動作を行うことを特徴とする請求項１０または１１記載の環境感応式報知制御方法。
【請求項１３】
機器に具備する報知動作を、外部の環境に応じて制御する環境感応式報知制御プログラムであって、
前記機器において、
周囲の温度を検出する温度検出処理と、
前記温度検出処理により検出される温度変化（温度差）を管理する温度管理処理と、
前記温度管理処理により管理する温度変化（温度差）に応じた報知動作を行う報知動作処理と、
を実行させることを特徴とする環境感応式報知制御プログラム。
【請求項１４】
前記温度管理処理は、
前記温度検出処理により検出される第１の周囲の温度を保存する保存処理と、
前記保存処理の後に第２の周囲の温度を検出する第２の温度検出処理と、
を有し、
前記機器において、
前記第２の温度検出処理により検出する第２の周囲の温度と、前記保存処理により保存した第１の周囲の温度と、の温度変化（温度差）の管理を実行させることを特徴とする請求項１３記載の環境感応式報知制御プログラム。
【請求項１５】
前記報知動作処理は、
前記温度管理処理により管理する温度変化（温度差）が、予め設定された所定の閾値を越えているか否かを判定する判定処理を有し、
前記判定処理の判定結果に応じた報知動作を行うことで、温度変化に応じた報知動作を前記機器において実行させることを特徴とする請求項１３または１４記載の環境感応式報知制御プログラム。
【発明の詳細な説明】
【０００１】
【発明の属する技術分野】
本発明は、機器の設定条件や環境条件に応じて報知動作を制御する環境感応式報知制御装置、環境感応式報知制御方法及び環境感応式報知制御プログラムに関し、たとえば、周囲の温度、湿度等の環境条件に応じて報知動作を自動的に調整する環境感応式報知制御装置、環境感応式報知制御方法及び環境感応式報知制御プログラムに関する。
【０００２】
【従来の技術】
従来、携帯電話機の呼出音の音量を調節する方法として、呼出音の音量を始めは小さく設定し、その後、次第に大きく設定する方法がある。該方法によれば、携帯電話機が静かな場所にある場合は、小さな音量で呼出音に反応することが可能となる。
従って、大音量の呼出音で周囲に迷惑をかける虞がない。
また、携帯電話機が騒がしい場所にある場合は、呼出音から一定時間を経過することにより大音量で呼出音が鳴るため、周囲の騒音によらず、着呼に反応することが可能となる。
【０００３】
上記、呼出音の音量を始めは小さく設定し、その後、次第に大きく設定する方法を改良した従来技術として、マイクロホンを用いて周囲の騒音レベルを認識し、着信音量・音質・着信パターン等の報知音を変更する方法がある。該方法により、報知音量が小さすぎて報知音に気付くのが遅れる、または、報知音量が大きすぎて周囲に迷惑をかけることを防止するものがある（特許文献１参照）。
【０００４】
また、本発明と類似する従来技術として、電気・電子楽器の音響装置の設定条件や環境条件に応じて周波数帯域に対応する音のレベルを修正するものがある。これにより、気温や湿度、演奏場所、出力先等の環境条件や演奏条件の影響を受けることなく、常に同じ音響を維持するものがある（特許文献２参照）。
【０００５】
【特許文献１】
特開平１０−０７５４８５号公報
【特許文献２】
特開平９−６２２７２号公報
【０００６】
【発明が解決しようとする課題】
しかしながら、特許文献１には、次の２つの問題点がある。
第１の問題点は、携帯電話機の周囲の騒音レベルが、そのまま着信動作に反映されず、周囲の騒音量に応じた報知音量に設定されない場合がある。
その理由は、携帯電話機が、ユーザの手元に存在するか否かは分からず、また、衣服の内ポケット等に収納される場合があり得るためである。
第２の問題点は、いつまでも大音量で鳴り続ける場合がある。
その理由は、携帯電話機からユーザが離れ応答動作ができない場合があるためである。
【０００７】
本発明は上記事情に鑑みてなされたものであり、着信報知音の音量、着信パターン及び明滅パターン等の報知動作を、周囲の環境に応じて変化させる環境感応式報知制御装置、環境感応式報知制御方法及び環境感応式報知制御プログラムを提供することを目的とする。
【０００８】
【課題を解決するための手段】
かかる目的を達成するために本発明は以下のような手段を有することを特徴とする。
請求項１記載の発明は、周囲の温度を検出する外部温度センサと、周囲の温度変化に応じて報知動作する着信報知鳴動時の制御信号を記憶する着信報知動作記憶部と、外部温度センサにより検出した周囲の温度から得られる温度変化に応じた着信報知鳴動時の制御信号に設定する着信報知制御部と、着信報知制御部により設定された制御信号に基づく着信報知を行う着信報知鳴動部とを有して構成され、周囲の温度変化に合わせた着信動作を行うことを特徴とする。
【０００９】
請求項２記載の発明は、請求項１記載の環境感応式報知制御装置において、温度変化に合わせた着信動作とは、着信報知音の音量、着信パターン及び明滅パターンを含む動作であることを特徴とする。
【００１０】
請求項３記載の発明は、請求項１または２記載の環境感応式報知制御装置において、着信報知動作記憶部は、基準温度時と最大変化温度時との着信音量、着信パターン及び明滅パターンに対応する着信パターン制御信号、着信音量制御信号及び明滅パターン制御信号で構成される制御信号を設定するための記憶部であることを特徴とする。
【００１１】
請求項４記載の発明は、請求項１から３のいずれか１項に記載の環境感応式報知制御装置において、外部温度センサは、検出した周囲の温度を電気信号に変換してモニタリングするセンサであることを特徴とする。
【００１２】
請求項５記載の発明は、請求項１から４のいずれか１項に記載の環境感応式報知制御装置において、着信報知制御部は、外部温度センサより得た電気信号をデジタル値に変換し、基準温度時から最大変化温度時への温度変化設定操作に合わせて変換した信号を用いて温度変化に応じた着信報知鳴動時の制御信号に設定することを特徴とする。
【００１３】
請求項６記載の発明は、請求項１から５のいずれか１項に記載の環境感応式報知制御装置において、着信報知制御部は、外部温度センサから得られる外部温度の変化温度が所定の閾値を越えているか否かを判定し、該判定に応じた着信報知鳴動時の制御信号を前記着信報知鳴動部へ通知し、該通知された制御信号に基づく着信報知を行うことを特徴とする。
【００１４】
請求項７記載の発明は、周囲の温度を検出する温度検出手段と、温度検出手段により検出される温度変化を管理する温度管理手段と、温度管理手段により管理する温度変化に応じた報知動作を行う報知動作手段と、を有することを特徴とする。
【００１５】
請求項８記載の発明は、請求項７記載の環境感応式報知制御装置において、温度管理手段は、温度検出手段により検出される第１の周囲の温度を保存する保存手段を有し、温度検出手段により検出される第２の周囲の温度と、保存手段に保存した第１の周囲の温度と、の温度変化（温度差）を管理することを特徴とする。
【００１６】
請求項９記載の発明は、請求項７または８記載の環境感応式報知制御装置において、報知動作手段は、温度変化（温度差）に応じた報知動作を決定するための所定の閾値を設定する設定手段と、温度管理手段により管理する温度変化（温度差）が、設定手段に設定された所定の閾値を越えているか否かを判定する判定手段と、を有し、判定手段の判定結果に応じた報知動作を行うことで、温度変化に応じた報知動作を行うことを特徴とする。
【００１７】
請求項１０記載の発明は、機器に具備する報知動作を、外部の環境に応じて制御する環境感応式報知制御方法であって、周囲の温度を検出する温度検出工程と、温度検出工程により検出される温度変化を管理する温度管理工程と、温度管理工程により管理する温度変化に応じた報知動作を行う報知動作工程と、を有することを特徴とする。
【００１８】
請求項１１記載の発明は、請求項１０記載の環境感応式報知制御方法において、温度管理工程は、温度検出工程により検出される第１の周囲の温度を保存する保存工程と、保存工程の後に第２の周囲の温度を検出する第２の温度検出工程と、を有し、第２の温度検出工程により検出する第２の周囲の温度と、保存工程により保存した第１の周囲の温度と、の温度変化（温度差）を管理することを特徴とする。
【００１９】
請求項１２記載の発明は、請求項１０または１１記載の環境感応式報知制御方法において、報知動作工程は、温度管理工程により管理する温度変化（温度差）が、予め設定された所定の閾値を越えているか否かを判定する判定工程を有し、判定工程の判定結果に応じた報知動作を行うことで、温度変化に応じた報知動作を行うことを特徴とする。
【００２０】
請求項１３記載の発明は、機器に具備する報知動作を、外部の環境に応じて制御する環境感応式報知制御プログラムであって、機器において、周囲の温度を検出する温度検出処理と、温度検出処理により検出される温度変化（温度差）を管理する温度管理処理と、温度管理処理により管理する温度変化（温度差）に応じた報知動作を行う報知動作処理と、を実行させることを特徴とする。
【００２１】
請求項１４記載の発明は、請求項１３記載の環境感応式報知制御プログラムにおいて、温度管理処理は、温度検出処理により検出される第１の周囲の温度を保存する保存処理と、保存処理の後に第２の周囲の温度を検出する第２の温度検出処理と、を有し、機器において、第２の温度検出処理により検出する第２の周囲の温度と、保存処理により保存した第１の周囲の温度と、の温度変化（温度差）の管理を実行させることを特徴とする。
【００２２】
請求項１５記載の発明は、請求項１３または１４記載の環境感応式報知制御プログラムにおいて、報知動作処理は、温度管理処理により管理する温度変化（温度差）が、予め設定された所定の閾値を越えているか否かを判定する判定処理を有し、判定処理の判定結果に応じた報知動作を行うことで、温度変化に応じた報知動作を前記機器において実行させることを特徴とする。
【００２３】
【発明の実施の形態】
次に、添付図面を参照して本発明にかかる環境感応式報知制御装置、環境感応式報知制御方法及び環境感応式報知制御プログラムの実施の形態を詳細に説明する。図１から図８を参照すると、本発明の環境感応式報知制御装置、環境感応式報知制御方法、環境感応式報知制御プログラムの実施の形態が示されている。図１から図３は、第１の実施の形態を示し、図４および図５は、第２の実施の形態を示す。また、図２及び図３は、第３の実施の形態を示し、図６は、第４の実施の形態を示し、図７及び図８は、第５の実施の形態を示す。
【００２４】
（第１の実施の形態）
まず、図１から図３を参照しながら第１の実施の形態について詳細に説明する。
図１は、第１の実施の形態における環境感応式報知制御装置の機能を説明するための概念図である。
以下、この環境感応式報知制御装置を携帯電話機に適用し、説明する。
携帯電話機は、該携帯電話機を利用する利用者１０との関連において、着信報知動作記憶部１１と、外部温度センサ１２と、着信報知制御部１３と、外部温度設定記憶部１４と、着信報知鳴動部１５と、の各機能部を有して構成される。
【００２５】
着信報知動作記憶部１１は、基準温度時と最大変化温度時との着信音量、着信パターン及び明滅パターンの各々に対応する着信音量制御信号、着信パターン制御信号及び明滅パターン制御信号で構成される着信制御信号を設定するための記憶部である。
外部温度センサ１２は、周囲の温度を検出し、該検出した温度を電気信号に変換してモニタリングするセンサである。
【００２６】
着信報知制御部１３は、外部温度センサ１２より得た電気信号をデジタル値に変換する。そして、該変換したデジタル値を基準温度時から最大変化温度時への温度変化設定操作に合わせて設定し、該設定値を外部温度設定記憶部１４に送信し、格納する。
また、着信報知制御部１３は、外部温度センサ１２より得られる外部温度の変化温度を管理する。次に、着信報知制御部１３は、該管理した変化温度と、外部温度設定記憶部１４に格納された設定値を用いて演算し、着信報知鳴動時に適切な動作レベルの着信制御信号を着信報知動作記憶部１１から設定する。
即ち、着信報知制御部１３は、外部温度設定記憶部１４に格納された基準温度時から最大変化温度時への温度変化設定操作に合わせて設定された設定値（閾値）を用いて、変化温度の値が、外部温度設定記憶部１４に設定された設定値（閾値）を越えているか否かを判定し、着信報知鳴動時に適切な動作レベルの着信制御信号を着信報知動作記憶部１１から設定する。そして、該設定した着信制御信号を着信報知鳴動部１５へ通知する。
着信報知鳴動部１５は、着信報知制御部１３から通知された着信制御信号を用いて指示された制御信号に基づく報知動作を実行する。
【００２７】
上記構成からなる環境感応式報知制御装置により、携帯電話機は、外部温度センサ１２より得た電気信号を外部温度設定記憶部１４に格納された設定値を用いて、温度変化に応じた報知動作の着信制御信号に設定し、該設定した着信制御信号に基づく報知動作を実行する。
これにより、周囲の温度変化に合わせた着信報知音の音量、着信パターン及び明滅パターン等に変更して報知動作を行うことが可能となる。
【００２８】
次に、図２を参照しながら、環境感応式報知制御装置に適用される携帯電話機の構成例を説明する。
図２を参照すると、環境感応式報知制御装置は、サーモセンサ１と、レベル測定部２と、報知制御部３と、着信音量／パターン設定部４と、音量調整部５と、着信報知音を発生するスピーカ６と、を有して構成される。
【００２９】
サーモセンサ１は、周囲の温度を検出して電気信号に変換する。そして、該変換した電気信号をレベル測定部２に送信する。
レベル測定部２は、サーモセンサ１から受信した電気信号を周囲の温度のレベルに応じたデジタル値に変換する。そして、該変換したデジタル値を報知制御部３に送信する。
報知制御部３は、レベル測定部２から受信した、デジタル値のレベルに応じた着信報知音の着信パターンと着信音量と明滅パターンとを設定する。そして、該設定した着信報知音の着信パターンと着信音量と明滅パターンとを着信音量／パターン設定部４に送信する。
着信音量／パターン設定部４は、報知制御部３で設定した着信パターンと着信音量と明滅パターンとに対応する着信パターン制御信号と着信音量制御信号と明滅パターン制御信号とを生成する。そして、該生成した着信パターン制御信号と着信音量制御信号とを音量調整部５に送信する。
音量調整部５は、着信音量／パターン設定部４から受信した、着信パターン制御信号と着信音量制御信号とを用いて、着信音量制御信号により制御されて設定された着信パターンの着信報知音信号のレベルを調整する。
スピーカ６は、音量調整部５によりレベル調整された着信報知音信号を基に着信報知音を発生する。
【００３０】
上記構成からなる携帯電話機の具備する環境感応式報知制御装置により、報知制御部３は、データ設定部７に事前に設定された可変設定値を用いて、サーモセンサ１で検出した周囲温度変化に対応するデジタル値から、着信報知音の着信パターンと着信音量と明滅パターンとを設定し、該設定した着信パターンと着信音量とを基に、着信報知音の設定値を減少または増大させ、また、着信報知音の大きさに応じた着信パターンと、明滅パターンとを設定する。
なお、データ設定部７に設定される可変設定値は、季節、個人毎に、設定値を変更することができる。この変更は、ユーザの操作により変更することができる。
【００３１】
（処理動作）
次に、図３を参照しながら上記構成からなる環境感応式報知制御装置の処理動作について説明する。
まず、サーモセンサ１は、この携帯電話機の周囲の温度を測定し（ステップＳ１）、該測定した温度の値を電気信号に変換する（ステップＳ２）。次に、該変換した電気信号をレベル測定部２に送る。レベル測定部２は、この電気信号を変換し、周囲の温度に対応するレベルのデジタル値を生成する（ステップＳ３）。次に、該生成したデジタル値を報知制御部３に送信する。
【００３２】
報知制御部３は、デジタル値を受信すると、データ設定部７に保持された可変設定値を参照し、着信音量の増減量を制御する（ステップＳ４）。そして、報知制御部３は、レベル測定部２から受信したデジタル値のレベルに応じて、データ設定部７に保持された可変設定値から着信報知音の着信パターンと着信音量と明滅パターンとを設定する（ステップＳ５）。また、報知制御部３の設定した着信パターンと着信音量と明滅パターンとは、着信音量／パターン設定部４で、着信パターンと着信音量と明滅パターンとにそれぞれ対応する着信パターン制御信号と着信音量制御信号と明滅パターン制御信号とに設定される（ステップＳ６）。音量調整部５は、着信音量制御信号を用いて着信報知音信号のレベルを調整する（ステップＳ７）。音量調整部５によってレベル調整された着信報知音信号は、スピーカ６で拡声されて、この携帯電話機の操作者への着信報知音となる（ステップＳ８）。また、着信音量／パターン設定部４で設定された着信制御信号と明滅パターン制御信号とに応じた着信パターンと明滅パターンで報知動作を行う。
【００３３】
このように、周囲の温度変化を測定し、該測定した変化温度に応じて、予め設定された着信報知音の着信パターンと着信音量と明滅パターンとに設定することで、第１の実施の形態は以下に示す効果が得られる。
第１の効果は、携帯電話機を身体から離した場合に着信動作を可変できることにある。その理由は、外部温度変化により着信動作を変更することができるためである。
これは、携帯電話機を所持している場合と、所持していない場合と、では携帯電話機本体の具備するサーモセンサ１が感知する温度が違うため、該感知する温度変化に応じて、着信パターン、着信音量、明滅パターン等を設定することで、着信動作を変更することができる。
従って、着信に気が付いた所持者が、携帯電話機に触れることで、呼出音の音量を小さくすることができるため、カバンやポケット等の中から携帯電話機を取り出す際に呼出音が大音量で響き渡るのを回避することが可能となり、携帯電話機の周囲の人に不快感を与えることなく効率的に着呼に対応することができる。
【００３４】
第２の効果は、携帯電話に応答できない場合に、鳴動動作を極小にできることにある。その理由は、外部温度変化により着信動作を変更することができるためである。
これは、携帯電話機の具備するサーモセンサ１が感知する温度変化に応じて、着信パターン、着信音量、明滅パターン等を設定することで、例えば、携帯電話機を所持していない場合に、または、携帯電話機を所持している場合に、予め、鳴動動作を極小に設定する。これにより、携帯電話機を所持せず、電話に応答できない場合に、鳴動動作を極小にすることができる。また、携帯電話機を所持している場合でも、電話に応答できない場合に鳴動動作を極小にすることができる。
【００３５】
第３の効果は、携帯電話機を所持せず携帯電話の着信が聞こえにくい場合に鳴動動作を極大にできることにある。その理由は、温度変化により着信動作を可変することができるためである。
これは、携帯電話機の具備するサーモセンサ１が感知する温度変化に応じて、着信パターン、着信音量、明滅パターン等を設定することで、例えば、携帯電話機を所持していない場合に、予め、鳴動動作を極大に設定する。これにより、携帯電話機を所持せず、電話の着信が聞こえない場合に、鳴動動作を極大にすることができる。
【００３６】
（第２の実施の形態）
次に、第２の実施の形態について詳細に説明する。
第２の実施の形態は、サーモセンサと湿度センサとを用いて、報知動作を制御する環境感応式報知制御装置である。
まず、図４を参照しながら第２の実施の形態における環境感応式報知制御装置の構成について説明する。
【００３７】
第２の実施の形態における環境感応式報知制御装置は、着信時に周囲の温度を検出して電気信号に変換するサーモセンサ１と、周囲の湿度を検出して電気信号に変換する湿度センサ８と、電気信号のレベルをデジタル値に変換するレベル測定部２と、デジタル値を受けると着信報知音の着信パターンと着信音量と明滅パターンとをデジタル値の大きさに応じて演算する報知制御部３と、該報知制御部３からの着信パターンと着信音量と明滅パターンとのそれぞれに対応する着信パターン制御信号と着信音量制御信号と明滅パターン制御信号とを生成する着信音量／パターン設定部４と、着信音量制御信号により制御されて設定された着信パターンの着信報知音信号のレベルを調整する音量調整部５と、音量調整部５によってレベル調整された着信報知音信号から着信報知音を生ずるスピーカ６と、を有して構成される。
【００３８】
なお、報知制御部３は、事前に設定されたデータ設定部７の値を用いてデジタル値の変化に応じて着信報知音の設定値を減少または増大させ、また、着信報知音の大きさに応じた着信パターンと明滅パターンとを設定する。
【００３９】
次に、図５を参照しながら第２の実施の形態におけるシステム全体の処理動作について詳細に説明する。
まず、サーモセンサ１はこの携帯電話機の周囲の温度を測定し、湿度センサ８は湿度を測定する（ステップＳ１１）。次に、サーモセンサ１は、測定した温度の値を電気信号に変換し、該変換した電気信号をレベル測定部２に送信する。同様に、湿度センサ８は、測定した湿度の値を電気信号に変換し、該変換した電気信号をレベル測定部２に送信する（ステップＳ１２）。
ここで、レベル測定部２は、サーモセンサ１と湿度センサ８とから受信した電気信号を、該受信した電気信号のレベルに応じたデジタル値に変換し（ステップＳ１２）、該変換したデジタル値を報知制御部３に送る。
【００４０】
報知制御部３は、レベル測定部２からデジタル値を受信すると演算を行い、デジタル値のレベルに応じた着信報知音の着信パターンと着信音量と明滅パターンとを設定する。その際、データ設定部７に保持された可変設定値を参照し、着信音量の増減量を制御する。次に、報知制御部３の設定した着信パターンと着信音量と明滅パターンとは、着信音量／パターン設定部４で、着信パターンと着信音量と明滅パターンとにそれぞれ対応する着信パターン制御信号と着信音量制御信号と明滅パターン制御信号とに設定される（ステップＳ１６）。
【００４１】
音量調整部５は、着信音量／パターン設定部４で設定した着信音量制御信号を用いて制御され、着信報知音信号のレベルを調整する（ステップＳ１７）。次に、音量調整部５によりレベル調整された着信報知音信号は、スピーカ６で拡声されて、この携帯電話機の操作者への着信報知音となる（ステップＳ１８）。また、着信音量／パターン設定部４で設定した着信パターン制御信号と明滅パターン制御信号とに応じた着信パターンと明滅パターンとで着信報知動作を行う。
【００４２】
このように、携帯電話機の周囲の温度と湿度との値を測定し、該測定した値の変化の大きさに応じた着信音量と着信パターンと明滅パターンとの制御信号を設定する。そして、設定した制御信号を基に着信報知音のレベルを調整し、スピーカを用いて報知する。また、設定した制御信号を基に報知動作を行う。
【００４３】
なお、データ設定部７に保持するデータにおいて、雨季・乾季、または、夏季・冬季により、身体離反条件を設定する際に、反比例予測等が必要な場合があるが、湿度測定機能を追加させることにより基準値決定を正確に行うことが可能となる。
【００４４】
（第３の実施の形態）
次に第３の実施の形態について説明する。
第３の実施の形態は、第１の実施の形態における温度変化を感知する部分（サーモセンサ）をイヤホンマイクに用いた例である。
携帯電話のイヤホンマイクは、運転中や作業中におけるハンズフリー通話に用いられる。このイヤホンマイクを用いることで、外部の音が遮断され、高音質の環境で、手ぶらで通話することが可能となる。このイヤホンマイクに対し、温度変化を感知する部分を設けることで、イヤホンマイクを装着している場合と、装着していない場合とで、着信報知音の音量、着信パターン及び、明滅パターン等を変化して動作できる構成を提供する。
以下、図２、図３を参照しながら第３の実施の形態について詳細に説明する。
【００４５】
まず、第３の実施の形態にかかるイヤホンマイクの具備する環境感応式報知制御装置の構成について説明する。
イヤホンマイクは第１の実施の形態と同様に、サーモセンサ１と、レベル測定部２と、報知制御部３と、着信音量／パターン設定部４と、音量調整部５と、スピーカ６と、を有して構成される。
【００４６】
サーモセンサ１は、周囲の温度を検出し、該検出した温度を電気信号に変換する。
例えば、イヤホンマイクを耳に装着した場合、または、イヤホンマイク耳に装着していない場合の温度を検出する。
【００４７】
レベル測定部２は、サーモセンサ１で変換した電気信号をデジタル信号値に変換する。
報知制御部３は、レベル測定部２で変換したデジタル信号値の値に応じて着信報知音の着信パターンと着信音量と明滅パターンを設定する。
また、報知制御部３は、周囲の温度変化により得られるデジタル値により、着信報知音の設定値を減少または増大させる。また、着信報知音の音量に応じた着信パターンと明滅パターンとを設定する。
着信音量／パターン設定部４は、報知制御部３で設定した着信パターンと着信音量と明滅パターンとに対応する着信パターン制御信号と着信音量制御信号と明滅パターン制御信号とを生成する。
音量調整部５は、着信音量／パターン設定部４で生成した着信報知音信号のレベルを調整する。
スピーカ６は、音量調整部５によりレベル調整された着信報知音信号から着信報知音を発生する。
【００４８】
次に、図３を参照しながら上記構成からなるイヤホンマイクを用いた着信報知の処理動作について説明する。
まず、サーモセンサ１は、イヤホンマイク周辺の温度を検出し（ステップＳ１）、該検出した温度を電気信号に変換する（ステップＳ２）。次に、サーモセンサ１は、該変換した電気信号をレベル測定部２に送信する。
ここで、レベル測定部２は、サーモセンサ１から受信した電気信号を周囲の温度に対応するデジタル値に変換する（ステップＳ３）。次に、レベル測定部２は、該変換したデジタル値を報知制御部３に送信する。
【００４９】
報知制御部３は、レベル測定部２から受信したデジタル値のレベルに応じて、着信報知音の着信パターンと、着信音量と、明滅パターンと、を設定する（ステップＳ５）。
この時、報知制御部３は、データ設定部７に設定した可変設定値を参照して（ステップＳ４）、着信音量の増減を制御する。
即ち、報知制御部３は、レベル測定部２から受信したデジタル値が、データ設定部７に設定した閾値を越えているか否かを判定し、該判定により、着信報知音の音量を大きくするか、または、音量を小さくするかを決定する。
【００５０】
次に、報知制御部３は、該設定した着信パターンと、着信音量と、明滅パターンと、を着信音量／パターン設定部４に送信する。着信音量／パターン設定部４４は、報知制御部３から受信した着信パターンと、着信音量と、明滅パターンと、にそれぞれ対応する着信パターン制御信号と、着信音量制御信号と、明滅パターン制御信号と、に設定する（ステップＳ６）。次に、音量調整部５は、着信音量／パターン設定部４で設定した着信音量制御信号を用いて、着信報知音信号のレベルを調整する（ステップＳ７）。そして、音量調整部５は、レベル調整した着信報知音信号をスピーカ６に送信する。スピーカ６は、音量調整部５から受信した着信報知音信号を用いて拡声され、着信報知音として外部に出力する（ステップＳ８）。
【００５１】
このように、イヤホンマイクに具備するサーモセンサ１で検出する温度を用いて変化温度の値を測定し、該測定した変化温度の値が、所定の閾値を越えているか否かを判定し、該判定した結果を基に、予め判定結果に応じて設定した着信音量、着信パターン、明滅パターンを用いて報知動作を行うことで、温度変化に応じた報知動作を可能とする。
【００５２】
なお、イヤホンマイクと携帯電話機との両方に、温度変化を感知する部分（サーモセンサ１）を設けることも可能であり、イヤホンマイクを装着または携帯電話機を保持することで、温度変化を感知し、該温度変化に応じた報知動作を可能とする。
また、イヤホンマイクを装着せず、かつ、携帯電話機を保持しない場合には、着信報知音の音量を始めから大きくすることで、使用者が速く着信報知音を察知することが可能となる。
【００５３】
なお、環境感応式報知制御装置の具備する構成は、イヤホンマイクと、携帯電話機とに具備し、図２示す構成を具備するように構成すれば特に限定しない。
例えば、イヤホンマイクに、図２に示す全ての構成部分（サーモセンサ１と、レベル測定部２と、報知制御部３と、着信音量／パターン設定部４と、音量調整部５と、着信報知音を発生するスピーカ６）を具備することでもよく、イヤホンマイクにサーモセンサ１と、音量調整部５と、着信報知音を発生するスピーカ６と、を具備し、携帯電話機にレベル測定部２と、報知制御部３と、着信音量／パターン設定部４と、データ設定部７と、を具備する構成でも可能である。
また、イヤホンマイクに、サーモセンサ１と湿度センサ８とを有し、第２の実施の形態と同様な構成を取ることも可能である。
【００５４】
（第４の実施の形態）
次に、第４の実施の形態について詳細に説明する。
第４の実施の形態は、イヤホンマイクに圧力を感知する圧力センサを設けた構成を取る。これは、第３の実施の形態において、イヤホンマイクにサーモセンサ１を具備することで温度変化を測定し、着信報知音を制御していたが、イヤホンマイクを耳に装着する際の圧力の変化を用いることで、着信報知音を制御する構成とした。
以下、図６を参照しながら第４の実施の形態について詳細に説明する。
イヤホンマイクは、感圧センサ９と、レベル測定部２と、報知制御部３と、着信音量／パターン設定部４と、音量調整部５と、スピーカ６と、データ設定部７と、を有して構成される。以下、格構成の処理動作について説明する。
【００５５】
感圧センサ９は、イヤホンマイクを耳に装着した際の圧力を感知して電気信号に変換する。また、該変換した電気信号をレベル測定部に送信する。
レベル測定部２は、感圧センサ９から受信した電気信号のレベルをデジタル値に変換し、該変換したデジタル値を報知制御部３に送信する。
報知制御部３は、レベル測定部２から受信したデジタル値のレベルに応じて着信報知音の着信パターンと着信音量と明滅パターンとを設定し、該設定した着信パターンと着信音量と明滅パターンとを着信音量／パターン設定部４に送信する。
着信音量／パターン設定部４は、報知制御部３から受信した着信パターンと着信音量と明滅パターンとに対応する着信パターン制御信号と、着信音量制御信号と、明滅パターン制御信号とを生成し、該生成した着信パターン制御信号と、着信音量制御信号と、を音量調整部５に送信する。
音量調整部５は、着信音量／パターン設定部４から受信した着信パターン制御信号と、着信音量制御信号と、を基に、着信報知音信号のレベルを調整し、スピーカ６に送信する。
スピーカ６は、音量調整部５により調整された着信報知音信号を基に着信報知音を発生する。
【００５６】
上記構成からなるイヤホンマイクの具備する環境感応式報知制御装置は、第３の実施の形態における処理動作と同様な工程を踏み、感圧センサ９で検出したデジタル値から測定する圧力変化の値が、データ設定部７に事前に設定された設定値（閾値）を越えているか否かを判定し、該判定結果に応じて着信報知音の設定値を減少または増大させ、また、着信報知音の大きさに応じた着信パターンと明滅パターンとを設定する。
これにより、環境感応式報知制御装置は、圧力変化を感知し、該感知した圧力変化が所定の閾値を越えている場合（イヤホンマイクを装着している場合）には、着信報知動作を自動的に変更することが可能となる。
例えば、イヤホンマイクを装着している場合には、自動的にバイブ機能に設定し、イヤホンマイクの着信時の音量を小さく設定することで、着信時に携帯電話機本体の場所を振動で知らせることが可能となる。
【００５７】
（第５の実施の形態）
次に、第５の実施の形態について説明する。
第５の実施の形態は、環境感応式報知制御装置に温度を感知するサーモセンサと、音響の変化を感知する音響センサとを具備し、温度変化と音響変化とを用いて報知動作を制御する構成を取る。
以下、図７を参照しながら、第５の実施の形態における環境感応式報知制御装置の構成について詳細に説明する。
【００５８】
環境感応式報知制御装置は、サーモセンサ２０と、温度状態保持部２１と、温度状態比較部２２と、音響センサ２３と、報知動作制御部２４と、反響状態検出部２５と、トーン発生制御部２６と、スピーカ２７と、を有して構成される。
【００５９】
サーモセンサ２０は、携帯電話機の周囲の温度を検出し、該検出した温度を電気信号に変換する。
温度状態保持部２１は、サーモセンサ２０が検出した携帯電話機の周囲の温度を保持する。
温度状態比較部２２は、サーモセンサ２０で検出した周囲の温度と、温度状態保持部２１に保持する周囲の温度とを比較する。より詳細には、サーモセンサ２０で検出した周囲の温度と、温度状態保持部２１に保持する周囲の温度と、の温度差（温度変化）を検出し、該検出した温度差（温度変化）が、予め設定された所定の閾値を越えているか否かを判定する。なお、閾値は、ユーザからの設定操作により自由に設定することも可能である。また、予め機器内に設定された閾値を用いることも可能である。
【００６０】
音響センサ２３は、マイクロホン等を有して構成され、周囲の音響を検出する。
反響状態検出部２５は、音響センサ２３で検出した第１の音響と、第１の音響の反響音を音響センサ２３で検出した第２の音響とを比較する。
報知動作制御部２４は、着呼、アラーム等の報知動作制御を開始すると、温度状態比較部２２と反響状態検出部２５とを制御する。該制御により報知動作制御部２４は、温度状態比較部２２と反響状態検出部２５とから出力する出力信号に基づいてトーン発生制御部２６に報知音の発生を指示する。
また、報知動作制御部２４は、温度状態比較部２２と反響状態検出部２５から出力する出力信号に基づいて、報知音のパターン、報知音量、明滅パターン等の報知動作を制御する。
トーン発生制御部２６は、報知動作制御部２４から指示により、スピーカ２７から報知音を発生する。
【００６１】
次に、図８を参照しながら上記構成からなる環境感応式報知制御装置の報知動作を説明する。
報知動作制御部２４は、着呼、アラーム等により報知動作を開始すると、温度状態比較部２２と反響状態検出部２５との処理を開始させるように制御する。該制御により温度状態比較部２２は、サーモセンサ２０により検出した携帯電話機の周囲の温度と、温度状態保持部２１に保持する携帯電話機の周囲の温度と、を比較する（ステップＳ３０）。状態比較部２２は、サーモセンサ２０により検出した携帯電話機の周囲の温度と、温度状態保持部２１に保持する携帯電話機の周囲の温度と、の温度差（温度変化）を検出し、該検出した温度差（温度変化）が、予め設定された所定の閾値を越えているか否かを判定する。報知動作制御部２４は、温度状態比較部２２による比較判定により、所定の閾値を越えていない場合は、大きい音響で報知音の発生を開始することとなる（ステップＳ３１）。また、所定の閾値を越えている場合には、小さい音響で報知音の発生を開始することとなる（ステップＳ３２）。
【００６２】
報知音の発生が開始されると、報知動作制御部２４からの開始制御により反響状態検出部２５は、音響センサ２３により報知音の音響を検出し、該音響センサ２３で検出した第１の音響と、第１の反響音である第２の音響とを比較する（ステップＳ３３）。
該比較により、音響センサ２３により検出した信号に報知音の反響音が大音量で含まれている場合、または、低域成分の報知音が含まれている場合には、報知動作制御部２４はトーン発生制御部２６に対して報知音の低域成分を増加させるように制御する（ステップＳ３４）。
これにより、周囲の人に不快感を与えない周波数成分（低音）の呼出し音を発生する。
【００６３】
次に、報知動作制御部２４は、報知時の携帯電話機の周囲温度を保持するための制御信号を温度状態保持部２１に対して送信する。そして、スピーカ２７から報知音を発生している際には、サーモセンサ２０により検出する温度に変化があるか否かを温度状態比較部２２に管理させる（ステップＳ３５）。
【００６４】
温度状態比較部２２は、該管理により、サーモセンサ２０により検出する温度から求める温度差（変化温度）が、所定の閾値を越えた場合には、トーン発生制御部２６に対し報知音の総音量を減少させるように制御する（ステップＳ３６）。
【００６５】
このように、サーモセンサ２０と音響センサ２３とを用いて、
サーモセンサ２０が検出する温度差（温度変化）が、所定の閾値を越えているか否かを判定し、該判定により、閾値を越えている場合には、報知音の音量を減少させ報知する。また、閾値を越えていない場合には、報知音の音量を増加させ報知する。
また、音響センサ２３により検出した信号に報知音の反響音が大音量で含まれている場合、または、低域成分の報知音が含まれている場合には、報知音の低域成分を増加させて報知する。
これにより、報知音を発生した際に周囲の人に不快感を与えることなく報知音を報知することが可能となる。
【００６６】
これは、例えば、携帯電話機をカバンやポケットの中に収納されている場合に、音響センサ２３を用いることで、報知音の反響音を検出して、単に報知音を大きくするだけではなく、低域（低音）のみを大きくすることにより、携帯電話機の周囲の人に不快感を与えることなく、効率的な報知音を提供することが可能となる。
また、サーモセンサ２０を用いることで、カバンやポケットから携帯電話機を所持する際に、人体の温度を感知する。これにより、外部との（温度差）温度変化を用いて報知音の音量を小さくすることで、携帯電話機の周囲の人に不快感を与えることなく、効率的な報知音を提供することが可能となる。
【００６７】
なお、上述の実施形態は本発明の好適な実施の一例である。ただし、これに限定されるものではなく、本発明の要旨を逸脱しない範囲内において種々変形実施が可能である。
例えば、第１から第５の実施の形態における環境感応式報知制御装置に、予めプログラムを格納し、上記各実施の形態の処理動作を実行させることでも良く、プログラムを記録した記録媒体を用いて、環境感応式報知制御装置内にプログラムを格納することで、上記各実施の形態の処理動作を実行させることでもよい。また、報知動作としては、電話の着信の際に行う処理動作だけではなく、指定時刻になるアラーム音等、移動体通信端末装置を利用するユーザに対して、聴覚を介しての報知を促す動作であれば特に限定しない。
【００６８】
【発明の効果】
以上の説明より明らかなように、本発明は以下のような効果を奏する。
周囲の温度を検出する外部温度センサと、周囲の温度変化に応じて報知動作する着信報知鳴動時の制御信号を記憶する着信報知動作記憶部と、前記外部温度センサにより検出した周囲の温度から得られる温度変化に応じた着信報知鳴動時の制御信号に設定する着信報知制御部と、前記着信報知制御部により設定された前記制御信号に基づく着信報知を行う着信報知鳴動部とを有し、前記周囲の温度変化に応じた報知動作を行うことを可能とした。
これにより、周囲の人に不快感を与えることなく、効率的に報知音に対応することができる。
【図面の簡単な説明】
【図１】本発明における環境感応式報知制御装置の実施形態の機能を説明するための概念図である。
【図２】環境感応式報知制御装置に適用される携帯電話機の構成例を示すブロック図である。
【図３】実施例の動作例を示すフローチャートである。
【図４】第２の実施の形態に適用される携帯電話機の構成例を示すブロック図である。
【図５】第２の実施の形態における動作例を示すフローチャートである。
【図６】第４の実施の形態に適用されるマイクロホンの構成例を示すブロック図である。
【図７】第５の実施の形態に適応される構成例を示すブロック図である。
【図８】第５の実施の形態に適用される動作例を示すフローチャートである。
【符号の説明】
１、２０　サーモセンサ
２　レベル測定部
３　報知制御部
４　着信音量／パターン設定部
５　音量調整部
６、２７　スピーカ
７　データ設定部
８　湿度センサ
９　感圧センサ
１１　着信報知動作記憶部
１２　外部温度センサ
１３　着信報知制御部
１４　外部温度設定記憶部
１５　着信報知鳴動部
２１　温度状態保持部
２２　温度状態比較部
２３　音響センサ
２４　報知動作制御部
２５　反響状態検出部
２６　トーン発生制御部
【図１】
2004147123.tif 000003
【図２】
2004147123.tif 000004
【図３】
2004147123.tif 000005
【図４】
2004147123.tif 000006
【図５】
2004147123.tif 000007
【図６】
2004147123.tif 000008
【図７】
2004147123.tif 000009
【図８】
2004147123.tif 000010